(57)【要約】【課題】  着脱可能な接続端子によってデバイス装置に記録されているオーディオデータを入力し、当該オーディオデータを再生するデバイス再生装置において、オーディオデータの音質の劣化を防止すると共に、ＵＳＢ端子が抜き差しされた場合でもホップノイズが生じてしまったり、回路が誤動作してしまうことを防止することができるデバイス再生装置を提供する。【解決手段】  挿入部に接続端子が挿入されていない場合に、処理回路のグランドを他の回路のグランドと電気的に接続し、挿入部に接続端子が挿入される場合に、処理回路が接続端子を介して他の装置と電気的に接続した後に、処理回路のグランドを他の回路のグランドから電気的に切り離すフローティング手段を備える。【選択図】      図１
2014149701.tif 000002
【特許請求の範囲】
【請求項１】
他の装置の接続端子を抜き差し可能な挿入部を備え、前記挿入部に挿入された前記接続端子を介して前記他の装置に記録されているデータを入力し、入力したデータを処理して再生する処理回路を備えるデバイス再生装置において、
前記挿入部に前記接続端子が挿入されていない場合に、前記処理回路のグランドを他の回路のグランドと電気的に接続し、前記挿入部に前記接続端子が挿入される場合に、前記処理回路が前記接続端子を介して他の装置と電気的に接続した後に、前記処理回路のグランドを前記他の回路のグランドから電気的に切り離すフローティング手段を備えることを特徴とするデバイス再生装置。
【請求項２】
請求項１記載のデバイス再生装置において、
前記フローティング手段は、前記接続端子のグランド端子と電気的に接続し前記処理回路のグランドと電気的に接続する挿入ケース部と、前記接続端子の信号端子と電気的に接続する信号端子部と、前記接続端子が前記挿入部に挿入される力によって前記挿入ケース部を前記他の回路のグランドと電気的に切り離す接続板バネを備え、
前記接続板バネは、前記処理回路が前記接続端子を介して前記他の装置と電気的に接続した後に、前記挿入ケース部を前記他の回路のグランドから電気的に切り離すことを特徴とするデバイス再生装置。
【請求項３】
請求項１または２記載のデバイス再生装置において、
前記接続端子は、ＵＳＢ端子から成ることを特徴とするデバイス再生装置。
【発明の詳細な説明】
【技術分野】
【０００１】
本発明は、着脱可能な接続端子を介してデバイス装置に記録されているデータを再生するデバイス再生装置に関する。
【背景技術】
【０００２】
従来、ＵＳＢ端子等の着脱可能な接続端子によってパーソナルコンピュータ（Personal Computer（以下、ＰＣという。））等のデバイス装置に記録されているオーディオデータを入力し、当該オーディオデータを再生するデバイス再生装置が知られている。
【０００３】
このようにＵＳＢ端子を用いてデバイス装置とデバイス再生装置を接続し、デバイス装置に記録されているオーディオデータをデバイス再生装置が入力する場合、ＵＳＢ端子にはオーディオデータを出力する信号端子と、当該オーディオデータ信号に対して接地を行うグランド端子が備えられ、デバイス装置からＵＳＢ端子を介して出力されたオーディオデータをデバイス再生装置の内部回路で処理する場合、通常は、ＵＳＢ端子に備えるグランド端子を用いて信号処理を行う。しかしながら、前述したように、それぞれ独自の電源を備えるデバイス装置とデバイス再生装置とをＵＳＢ端子によって接続してオーディオデータの送受信を行う場合、デバイス装置から出力されたオーディオデータをデバイス装置の内部で処理する場合に、ＵＳＢ端子に備えたグランド端子とデバイス再生装置のグランドをそのまま接地して信号処理を行うと、デバイス装置からノイズが混入したデータが入力された場合にデバイス再生装置とデバイス装置の各電源の間に生じる電位差によって、デバイス再生装置に備える各回路の電位が不安定になってしまい、デバイス装置から入力したオーディオデータをデバイス再生装置によって再生した場合に音質が劣化してしまうことがある。
【０００４】
このように、デバイス装置からノイズが混入したデータが入力された場合にデバイス再生装置とデバイス装置の各電源の間に生じる電位差によって、オーディオデータを再生した場合に音質が劣化してしまうことを防止するために、ＵＳＢ端子を介して入力したデータの処理を行う各処理回路のグランドとその他の回路のグランドを切り離してフローティング（アイソレート）することによって、装置内の電位が不安定になってしまうことを防止し、オーディオデータの音質の劣化を防止するものが知られている（例えば、特許文献１参照）。
【先行技術文献】
【特許文献】
【０００５】
【特許文献１】特開２００４−１１０１６９号公報
【発明の開示】
【発明が解決しようとする課題】
【０００６】
特許文献１に開示されているように、デバイス再生装置とデバイス装置とをＵＳＢ端子によって接続し、ＵＳＢ端子を介して入力したデータの処理を行う各処理回路のグランドとその他の回路のグランドを切り離してフローティング（アイソレート）する構成とした場合は、デバイス再生装置内におけるＵＳＢ端子とグランド接続した回路部分とそれ以外の回路部分との間に常に電位差が生じているため、ＵＳＢ端子をデバイス再生装置に挿入したときや、デバイス再生装置に接続されたＵＳＢ端子を抜いたときにサージが発生する。このため、例えば、デバイス再生装置が装置内に記録されているオーディオデータを再生している場合や、他の装置に記録されたオーディオデータを入力して再生している場合に、ＵＳＢ端子が抜き差しされると、そのときに生じるサージによって再生中のオーディオデータにホップノイズが生じてしまい音質が著しく劣化してしまったり、また、デバイス再生装置内の回路が誤動作してしまう虞がある。
【０００７】
本発明は、着脱可能な接続端子によってデバイス装置に記録されているオーディオデータを入力し、当該オーディオデータを再生するデバイス再生装置において、オーディオデータの音質の劣化を防止すると共に、オーディオデータを再生している最中にＵＳＢ端子が抜き差しされた場合でも再生中のオーディオデータホップノイズが生じてしまったり、回路が誤動作してしまうことを防止することができるデバイス再生装置を提供することを目的とする。
【課題を解決するための手段】
【０００８】
上記の課題を解決するために、本願の請求項１記載の発明は、他の装置の接続端子を抜き差し可能な挿入部を備え、前記挿入部に挿入された前記接続端子を介して前記他の装置に記録されているデータを入力し、入力したデータを処理して再生する処理回路を備えるデバイス再生装置において、前記挿入部に前記接続端子が挿入されていない場合に、前記処理回路のグランドを他の回路のグランドと電気的に接続し、前記挿入部に前記接続端子が挿入される場合に、前記処理回路が前記接続端子を介して他の装置と電気的に接続した後に、前記処理回路のグランドを前記他の回路のグランドから電気的に切り離すフローティング手段を備えることを特徴とする。
【０００９】
本願の請求項２記載の発明は、請求項１記載のデバイス再生装置において、前記フローティング手段は、前記接続端子のグランド端子と電気的に接続し前記処理回路のグランドと電気的に接続する挿入ケース部と、前記接続端子の信号端子と電気的に接続する信号端子部と、前記接続端子が前記挿入部に挿入される力によって前記挿入ケース部を前記他の回路のグランドと電気的に切り離す接続板バネを備え、前記接続板バネは、前記処理回路が前記接続端子を介して前記他の装置と電気的に接続した後に、前記挿入ケース部を前記他の回路のグランドから電気的に切り離すことを特徴とする。
【００１０】
本願の請求項３記載の発明は、請求項１または２記載のデバイス再生装置において、
前記接続端子は、ＵＳＢ端子から成ることを特徴とする。
【発明の効果】
【００１１】
本発明によれば、着脱可能な接続端子によってデバイス装置に記録されているオーディオデータを入力し、当該オーディオデータを再生するデバイス再生装置において、オーディオデータの音質の劣化を防止すると共に、オーディオデータを再生している最中にＵＳＢ端子が抜き差しされた場合でも再生中のオーディオデータホップノイズが生じてしまったり、回路が誤動作してしまうことを防止することができるデバイス再生装置を提供することができる。
【図面の簡単な説明】
【００１２】
【図１】本発明の一実施例であるデバイス再生装置と当該デバイス再生装置に接続するデバイス装置の構成を示す斜視図。
【図２】本実施例のデバイス再生装置１に接続するデバイス装置２のＵＳＢ端子部３の構成を示す断面図。
【図３】本実施例のデバイス再生装置１の挿入部６の構成を示す断面図。
【図４】本実施例のＵＳＢ端子部３とデバイス再生装置１の挿入部６を示す断面図であり、図４（ａ）は、ＵＳＢ端子部３を挿入部６に挿入する直前の状態を示す図、図４（ｂ）は図４（ａ）の状態からＵＳＢ端子部３を挿入部６に挿入している途中の状態を示す図。
【図５】本実施例のＵＳＢ端子部３とデバイス再生装置１の挿入部６を示す断面図であり、図４（ｂ）の状態から更にＵＳＢ端子部３を挿入部６に挿入した状態を示す図。
【発明を実施するための最良の形態】
【００１３】
以下、本発明の実施の形態を図面に基づいて説明する。
図１は、本発明の一実施例であるデバイス再生装置と当該デバイス再生装置に接続するデバイス装置の構成を示す斜視図である。
【００１４】
デバイス再生装置１は、筐体５の内部に図示しない操作部、制御部、第１のデバイス再生処理部、第２のデバイス再生処理部及び電源回路部を備え、筐体５の前面に挿入部６を備える。デバイス装置２は、ＰＣ等のデバイス装置から成り、内部に図示しないデータ記録部、制御部及び電源回路部を備えると共に、ケーブル４によって接続されたＵＳＢ端子部３を備える。ＵＳＢ端子部３は、先端部分に挿入端子部３０１を備える。ＵＳＢ端子部３は、挿入端子部３０１がデバイス再生装置１の挿入部６に対して着脱可能に成される。
【００１５】
図２は、本実施例のデバイス再生装置１に接続するデバイス装置２のＵＳＢ端子部３の構成を示す断面図である。
図２においては、右方向をＵＳＢ端子部３の前方とし、上方向をＵＳＢ端子部３の上方とする。
【００１６】
ＵＳＢ端子部３の挿入端子部３０１は、導電性を有する金属部材から成り、前方が開口した箱型を形成するグランド端子部３０２を備える。グランド端子部３０２の内壁には、絶縁体３０３を介して信号端子部３０４が固着されている。グランド端子部３０２は、ケーブル４を介してデバイス装置２のグランドに電気的に接続され、また、信号端子部３０４は、ケーブル４を介してデバイス装置２の制御部に電気的に接続されている。
【００１７】
図３は、本実施例のデバイス再生装置１の挿入部６の構成を示す断面図である。
図３においては、左方向を挿入部６の前方とし、上方向を挿入部６の上方とする。
【００１８】
図３に示すように、デバイス再生装置１の筐体５は、後方に貫通する孔７０１を有する凹部７を備え、この凹部７の内部に挿入ケース部８、ケース保持部９、２つのアーム１５、２つのケース接続板バネ１０、２つの端子接続板バネ２０及び信号端子部８０３を備える。
【００１９】
挿入ケース部８は、導電性を有する金属部材から成り、前方が開口した箱型を形成し、上方部分及び下方部分にそれぞれ孔８０１及び孔８０２を備える。ケース保持部９は、絶縁体から成り、挿入ケース部８の後方に接着剤等で固定されると共に凹部７の後方部分に接着剤等で固定されることにより、挿入ケース部８を凹部７の内部で保持する。信号端子部８０３は、弾性を有する金属製の板バネによって形成され、挿入ケース部８の内部に配設され、後方部分が挿入ケース部８の後方に固定された絶縁体８０４を介して挿入ケース部８に固定される。
【００２０】
２つのケース接続板バネ１０は、いずれも弾性を有する金属製の板バネによって形成され、それぞれ凹部７の上方の内壁部分及び下方の内壁部分に配設される。上下それぞれのケース接続板バネ１０は、筐体５の内壁に図示しないネジ等によって固定された固定部１０１と、当該固定部１０１の後端部分に接続し凹部７の内側方向に傾斜した傾斜部１０２と、当該傾斜部１０２の後端部分に接続し後方に向かって水平に延びた接続部１０３により構成される。上下それぞれのケース接続板バネ１０は、それぞれの接続部１０３が挿入ケース部８の上面及び下面に当接するように配設されている。
【００２１】
２つの端子接続板バネ２０は、いずれも弾性を有する金属製の板バネによって形成され、それぞれ挿入ケース部８の上方の内壁部分及び下方の内壁部分に配設される。上下それぞれの端子接続板バネ２０は、挿入ケース部８の内壁に図示しないネジ等によって固定された固定部２０１と、当該固定部２０１の後端部分に接続し挿入ケース部８の内側方向に傾斜した傾斜部２０２と、当該傾斜部２０２の後端部分に接続し後方に向かって水平に延びた接続部２０３により構成される。
【００２２】
２つのアーム１５は、いずれも絶縁体により形成され、挿入ケース部８の上下にそれぞれ備える孔８０１及び孔８０２の内側に配設され、上下それぞれに配設されたケース接続板バネ１０の接続部１０３の内側に接着剤等によって固着されると共に、端子接続板バネ２０の接続部２０３の外側に接着剤等によって固定されることにより、ケース接続板バネ１０の接続部１０３と端子接続板バネ２０の接続部２０３を接続する。
【００２３】
図３に示すように、信号端子部８０３の後端には信号ケーブル５０が電気的に接続され、また、挿入ケース部８の後端にはケースグランドケーブル６０が電気的に接続され、更に、凹部７の後端には本体グランドケーブル７０が電気的に接続されている。
【００２４】
信号ケーブル５０及びケースグランドケーブル６０は、図示しない第１のデバイス再生処理部に電気的に接続される。本体グランドケーブル７０は、デバイス再生装置１の内部に備える操作部、制御部、第２のデバイス再生処理部のグランドに電気的に接続されている。第１のデバイス再生処理部は、デバイス再生装置１の内部において、ケースグランドケーブル６０以外の部分においては、他の回路と電気的に切り離されてフローティング状態に成されている。
【００２５】
図４は、本実施例のＵＳＢ端子部３とデバイス再生装置１の挿入部６を示す断面図であり、図４（ａ）は、ＵＳＢ端子部３を挿入部６に挿入する直前の状態を示す図、図４（ｂ）は図４（ａ）の状態からＵＳＢ端子部３を挿入部６に挿入している途中の状態を示す図である。
【００２６】
図５は、本実施例のＵＳＢ端子部３とデバイス再生装置１の挿入部６を示す断面図であり、図４（ｂ）の状態から更にＵＳＢ端子部３を挿入部６に挿入した状態を示す図である。
【００２７】
図４（ａ）に示すように、ＵＳＢ端子部３が挿入部６に挿入されていない状態の場合、ケース接続板バネ１０の接続部１０３が挿入ケース部８と当接し、挿入ケース部８と筐体５が電気的に接続した状態となることにより、ケースグランドケーブル６０は本体グランドケーブル７０と電気的に接続した状態となる。このため、第１のデバイス再生処理部は、デバイス再生装置１の内部において、ケースグランドケーブル６０が本体グランドケーブル７０と電気的に接続され、他の回路とグランドが接地した状態となっている。
【００２８】
デバイス再生装置１にデバイス装置２を接続する場合は、図４（ａ）に示すように、ＵＳＢ端子部３の挿入端子部３０１を挿入部６の挿入ケース部８に挿入する。ＵＳＢ端子部３を挿入ケース部８に挿入すると、図４（ｂ）に示すように、ＵＳＢ端子部３のグランド端子部３０２の先端部分が端子接続板バネ２０の傾斜部２０２に当接すると共に、ＵＳＢ端子部３の信号端子部３０４が挿入部６の信号端子部８０３に当接することにより、ＵＳＢ端子部３のグランド端子部３０２が挿入部６の端子接続板バネ２０と電気的に接続し、また、ＵＳＢ端子部３の信号端子部３０４が挿入部６の信号端子部８０３と電気的に接続する。このとき、ケース接続板バネ１０の接続部１０３が挿入ケース部８に当接した状態のままとなるため、ＵＳＢ端子部３は、グランド端子部３０２が端子接続板バネ２０、挿入ケース部８及びケース接続板バネ１０を介して筐体５に接続された本体グランドケーブル７０と電気的に接続された状態で、挿入部６の信号端子部８０３と電気的に接続する。
【００２９】
図４（ｂ）の状態から更にＵＳＢ端子部３を挿入部６に挿入すると、ＵＳＢ端子部３のグランド端子部３０２が挿入される力によって、挿入ケース部８の上方及び下方に配設した端子接続板バネ２０の傾斜部２０２がそれぞれ上方及び下方に移動する。このとき、図５に示すように、挿入ケース部８の上方及び下方に配設した端子接続板バネ２０の傾斜部２０２がそれぞれ上方及び下方に移動することにより、挿入ケース部８の上方及び下方に配設したケース接続板バネ１０の接続部１０３もアーム１５によってそれぞれ上方及び下方に移動するため、挿入ケース部８の上方及び下方に配設したケース接続板バネ１０の接続部１０３が挿入ケース部８から離れる。ケース接続板バネ１０が挿入ケース部８から離れることにより、挿入ケース部８とケース接続板バネ１０が電気的に切り離され、この結果、ケースグランドケーブル６０が本体グランドケーブル７０から電気的に切り離された状態となる。
【００３０】
図５に示すように、ＵＳＢ端子部３が挿入部６に挿入された状態で、デバイス再生装置１の操作部（図示なし）を操作してデバイス装置２のデータ記録部（図示なし）に記録されたオーディオデータの再生を指示すると、デバイス再生装置１の制御部（図示なし）が信号ケーブル５０、信号端子部８０３及び信号端子部３０４を介してデバイス装置２の制御部（図示なし）に対してオーディオデータの出力を指示するよう制御を行う。デバイス装置２の制御部は、デバイス再生装置１の制御部からの制御に応じて、データ記録部（図示なし）に記録されたオーディオデータをデバイス再生装置１に出力するよう制御し、データ記録部（図示なし）に記録されたオーディオデータが信号端子部３０４、信号端子部８０３及び信号ケーブル５０を介してデバイス再生装置１の第１のデバイス再生処理部（図示なし）に出力される。第１のデバイス再生処理部（図示なし）は、デバイス装置２のデータ記録部（図示なし）から出力されたオーディオデータの処理を行い、オーディオデータを再生する。
【００３１】
図５に示すように、デバイス再生装置１は、挿入部６にＵＳＢ端子部３を挿入した状態で、操作部を操作してオーディオデータの再生を指示することにより、デバイス装置２に記録されたオーディオデータを再生する。このとき、第１のデバイス再生処理部（図示なし）は、デバイス再生装置１の内部において、ケースグランドケーブル６０が本体グランドケーブル７０から電気的に切り離されていることにより、他の回路と電気的に切り離されてフローティング状態に成されている。このため、デバイス再生装置１は、デバイス装置２との間に生じる電位差によって装置内の電位が不安定になってしまうことを防止し、オーディオデータの音質の劣化を防止した状態でオーディオデータを再生することができる。
【００３２】
以上説明したように、本実施例のデバイス再生装置１は、デバイス装置２のＵＳＢ端子部３を挿入部６に挿入しようとする場合、図４（ｂ）に示すように、ケースグランドケーブル６０と本体グランドケーブル７０が電気的に接続し、第１のデバイス再生処理部が他の回路とグランドが接地した状態で、挿入部６の信号端子部８０３とＵＳＢ端子部３の信号端子部３０４が接続すると共にＵＳＢ端子部３のグランド端子部３０２がケースグランドケーブル６０及び本体グランドケーブル７０と電気的に接続するため、例えば、デバイス再生装置１の第２のデバイス再生処理部（図示なし）の処理によって他の装置に記録されたオーディオデータを入力して再生している場合に、第１のデバイス再生処理部が他の回路と切り離されている状態でＵＳＢ端子３を挿入部６に挿入する際に生じてしまうサージを防止することができるため、サージが生じることによって再生中のオーディオデータにホップノイズが生じてしまい音質が劣化してしまったり、また、デバイス再生装置１の内部の回路が誤動作してしまうことを防止することができる。
【００３３】
また、本実施例のデバイス再生装置１は、挿入部６に挿入されているＵＳＢ端子部３を抜き取ろうとする場合、図５及び図４（ｂ）に示すように、ケースグランドケーブル６０と本体グランドケーブル７０が電気的に切り離された状態から電気的に接続し、第１のデバイス再生処理部が他の回路とグランドが接地した状態となってから、挿入部６の信号端子部８０３とＵＳＢ端子部３の信号端子部３０４が電気的に切り離されると共にＵＳＢ端子部３のグランド端子部３０２がケースグランドケーブル６０及び本体グランドケーブル７０と電気的に切り離されるため、デバイス再生装置１の第２のデバイス再生処理部（図示なし）の処理によって他の装置に記録されたオーディオデータを入力して再生している場合に、ＵＳＢ端子部３を挿入部６から抜き取っても、再生中のオーディオデータにホップノイズが生じてしまい音質が劣化してしまったり、また、デバイス再生装置１の内部の回路が誤動作してしまうことを防止することができる。
【００３４】
本実施例のデバイス再生装置１は、挿入部６に挿入ケース部８、ケース接続板バネ１０及び端子接続板バネ２０を備え、ＵＳＢ端子部３を挿入ケース部８に挿入する場合に、ＵＳＢ端子部３のグランド端子部３０２が挿入される力によって、挿入ケース部８の上方及び下方に配設したケース接続板バネ１０の接続部１０３が挿入ケース部８から離れることによって、ケースグランドケーブル６０と本体グランドケーブル７０を電気的に切り離して第１のデバイス再生処理部を他の回路と電気的に切り離してフローティング状態にする構成としたが、このような構成を備えないで、例えば、ＵＳＢ端子部３が挿入部６に挿入されたことを検出する挿入検出部と、第１のデバイス再生処理部を他の回路と電気的に切り離したり、また、電気的に接続することが可能なリレー回路を備え、ＵＳＢ端子部３が挿入部６に挿入され、信号端子及びグランドが接続されたことを当該挿入検出部が検出した後、当該リレー回路によって第１のデバイス再生処理部を他の回路から電気的に切り離してフローティング状態にする構成としても良い。このことにより、挿入ケース部８、ケース接続板バネ１０及び端子接続板バネ２０等を備える必要がないため、デバイス再生装置１の製造コストを低減することができる。
【００３５】
本実施例のデバイス再生装置１は、ＵＳＢ端子部３を挿入部６に挿入することによってデバイス装置２に記録されているオーディオデータを入力して再生する構成としたが、着脱可能な接続端子を介してデバイス装置２からオーディオデータを入力することが可能であれば、ＵＳＢ端子以外のどのような端子を用いても良い。
【００３６】
本実施例のデバイス再生装置１は、デバイス装置２からオーディオデータを入力する構成としたが、オーディオデータ以外にも映像データ、プログラムデータ等、どのようなデータを入力する構成としても良い。
【産業上の利用可能性】
【００３７】
本発明は、着脱可能な接続端子を介してデバイス装置に記録されているデータを再生するデバイス再生装置に有用に用いることができる。
【符号の説明】
【００３８】
１  デバイス再生装置、２  デバイス装置、
３  ＵＳＢ端子部、３０１  挿入端子部、３０２  グランド端子部、
３０３  絶縁体、３０４  信号端子部、
４  ケーブル、５  筐体、６  挿入部、
７  凹部、７０１  孔、
８  挿入ケース部、８０１  孔、８０２  孔、８０３  信号端子部、８０４  絶縁体、
９  ケース保持部、１５  アーム、
１０  ケース接続板バネ、１０１  固定部、１０２  傾斜部、１０３  接続部、
２０  端子接続板バネ、２０１  固定部、２０２  傾斜部、２０３  接続部、
５０  信号ケーブル、６０  ケースグランドケーブル、７０  本体グランドケーブル
【図１】
2014149701.tif 000003
【図２】
2014149701.tif 000004
【図３】
2014149701.tif 000005
【図４】
2014149701.tif 000006
【図５】
2014149701.tif 000007